(57)【要約】  クランク軸は、回転中心軸となるジャーナル部（Ｊ）と、このジャーナル部（Ｊ）に対して偏心したピン部（Ｐ）と、ジャーナル部（Ｊ）とピン部（Ｐ）をつなぐクランクアーム部（Ａ）と、を備える。ピン部（Ｐ）にはコネクティングロッドを介してピストンピンの軸心からピン部（Ｐ）の軸心に向かう方向に燃焼圧による荷重が負荷される。アーム部（Ａ）は、ジャーナル部（Ｊ）側の表面に、この表面の輪郭に沿った縁部（１１）の内側にこの縁部（１１）に沿って凹部（１０）を備える。凹部（１０）は、ピン部（Ｐ）の軸心とジャーナル部（Ｊ）の軸心とを結ぶアーム部中心線（Ａｃ）に対して非対称である。アーム部（Ａ）の曲げ剛性は、ピン部（Ｐ）への燃焼圧による荷重の負荷が最大になる時点において最大となる。このクランク軸は、軽量化とねじり剛性及び曲げ剛性の向上を実現できる。
2016009640.tif 000002
【特許請求の範囲】
【請求項１】
回転中心軸となるジャーナル部と、このジャーナル部に対して偏心したピン部と、前記ジャーナル部と前記ピン部をつなぐクランクアーム部と、前記クランクアーム部と一体のカウンターウエイト部と、を備え、レシプロエンジンに搭載されて、前記ピン部にはコネクティングロッドを介してピストンピンの軸心から前記ピン部の軸心に向かう方向に燃焼圧による荷重が負荷されるクランク軸であって、
前記クランクアーム部は、前記ジャーナル部側の表面に、この表面の輪郭に沿った縁部の内側にこの縁部に沿って凹部を備え、前記凹部は、前記ピン部の軸心と前記ジャーナル部の軸心とを結ぶアーム部中心線に対して非対称であり、
前記クランクアーム部の曲げ剛性が、前記ピン部への前記燃焼圧による前記荷重の負荷が最大になる時点において最大となる、レシプロエンジンのクランク軸。
【請求項２】
請求項１に記載のレシプロエンジンのクランク軸であって、
前記クランクアーム部の前記縁部の厚みが前記アーム部中心線に対して非対称である、レシプロエンジンのクランク軸。
【請求項３】
請求項１又は２に記載のレシプロエンジンのクランク軸であって、
前記アーム部中心線を境界にして前記クランクアーム部を左右のアーム部要素に区分したとき、
前記クランクアーム部の前記アーム部中心線に垂直な各断面のうち、前記ピン部の軸心より外側の各断面では、前記最大の前記荷重が負荷される側の前記アーム部要素の断面２次モーメントが、前記最大の前記荷重が負荷される側とは反対側の前記アーム部要素の断面２次モーメントよりも大きく、
前記クランクアーム部の前記アーム部中心線に垂直な各断面のうち、前記ピン部の軸心より内側の各断面では、前記最大の前記荷重が負荷される側とは反対側の前記アーム部要素の断面２次モーメントが、前記最大の前記荷重が負荷される側の前記アーム部要素の断面２次モーメントよりも大きい、レシプロエンジンのクランク軸。
【請求項４】
請求項３に記載のレシプロエンジンのクランク軸であって、
前記ピン部の軸心より外側の前記各断面では、前記最大の前記荷重が負荷される側の前記アーム部要素の最大厚みが、前記最大の前記荷重が負荷される側とは反対側の前記アーム部要素の最大厚みよりも大きく、
前記ピン部の軸心より内側の前記各断面では、前記最大の前記荷重が負荷される側とは反対側の前記アーム部要素の最大厚みが、前記最大の前記荷重が負荷される側の前記アーム部要素の最大厚みよりも大きい、レシプロエンジンのクランク軸。
【請求項５】
請求項３又は４に記載のレシプロエンジンのクランク軸であって、
前記ピン部の軸心より外側の前記各断面では、前記最大の前記荷重が負荷される側の前記アーム部要素の幅が、前記最大の前記荷重が負荷される側とは反対側の前記アーム部要素の幅よりも大きく、
前記ピン部の軸心より内側の前記各断面では、前記最大の前記荷重が負荷される側とは反対側の前記アーム部要素の幅が、前記最大の前記荷重が負荷される側の前記アーム部要素の幅よりも大きい、レシプロエンジンのクランク軸。
【発明の詳細な説明】
【技術分野】
【０００１】
本発明は、自動車用エンジン、船舶用エンジン、発電機等の汎用エンジンといったレシプロエンジンに搭載されるクランク軸に関する。
【背景技術】
【０００２】
レシプロエンジンは、シリンダ（気筒）内でのピストンの往復運動を回転運動に変換して動力を取り出すため、クランク軸を必要とする。クランク軸は、型鍛造によって製造されるものと、鋳造によって製造されるものとに大別される。特に、高強度と高剛性が要求される場合は、それらの特性に優れた前者の鍛造クランク軸が多用される。【０００３】
図１は、一般的なクランク軸の一例を模式的に示す側面図である。図１に示すクランク軸１は、４気筒エンジンに搭載されるものであり、５つのジャーナル部Ｊ１〜Ｊ５、４つのピン部Ｐ１〜Ｐ４、フロント部Ｆｒ、フランジ部Ｆｌ、及びジャーナル部Ｊ１〜Ｊ５とピン部Ｐ１〜Ｐ４とをそれぞれつなぐ８枚のクランクアーム部（以下、単に「アーム部」ともいう）Ａ１〜Ａ８を備える。このクランク軸１は、８枚の全てのアーム部Ａ１〜Ａ８にカウンターウエイト部（以下、単に「ウエイト部」ともいう）Ｗ１〜Ｗ８を一体で有し、４気筒−８枚カウンターウエイトのクランク軸と称される。【０００４】
以下、ジャーナル部Ｊ１〜Ｊ５、ピン部Ｐ１〜Ｐ４、アーム部Ａ１〜Ａ８及びウエイト部Ｗ１〜Ｗ８のそれぞれを総称するとき、その符号は、ジャーナル部で「Ｊ」、ピン部で「Ｐ」、アーム部で「Ａ」、ウエイト部で「Ｗ」と記す。ピン部Ｐ及びこのピン部Ｐにつながる一組のアーム部Ａ（ウエイト部Ｗを含む）をまとめて「スロー」ともいう。【０００５】
ジャーナル部Ｊ、フロント部Ｆｒ及びフランジ部Ｆｌは、クランク軸１の回転中心と同軸上に配置される。ピン部Ｐは、クランク軸１の回転中心からピストンストロークの半分の距離だけ偏心して配置される。ジャーナル部Ｊは、すべり軸受けによってエンジンブロックに支持され、回転中心軸となる。ピン部Ｐには、すべり軸受けによってコネクティングロッド（以下、「コンロッド」ともいう）の大端部が連結され、このコンロッドの小端部にピストンがピストンピンによって連結される。【０００６】
エンジンにおいて、各シリンダ内で燃料が爆発する。その爆発による燃焼圧は、ピストンの往復運動をもたらし、クランク軸１の回転運動に変換される。その際、燃焼圧は、コンロッドを介してクランク軸１のピン部Ｐに作用し、そのピン部Ｐにつながるアーム部Ａを介してジャーナル部Ｊに伝達される。これにより、クランク軸１は、弾性変形を繰り返しながら回転する。【０００７】
クランク軸のジャーナル部を支持する軸受けには潤滑油が存在する。クランク軸の弾性変形に応じ、軸受け内の油膜圧力及び油膜厚さは、軸受け荷重及びジャーナル部の軸心軌跡と相互に関連しながら変化する。更に、軸受けにおけるジャーナル部の表面粗さと軸受けメタルの表面粗さに応じ、油膜圧力が生じるだけでなく、局部的な金属接触も生じる。油膜厚さの確保は、油切れによる軸受け焼き付きを防止するとともに、局部的な金属接触を防止するために重要である。燃費性能に影響するからである。【０００８】
また、クランク軸の回転に伴う弾性変形、及び軸受け内のクリアランスの中で移動するジャーナル部の軸心軌跡は、回転中心のズレを生じさせるため、エンジン振動（マウント振動）に影響する。更にその振動は、車体を伝播して乗車室内のノイズ、乗り心地に影響する。【０００９】
このようなエンジン性能を向上させるため、クランク軸は剛性が高く、変形し難いことが求められる。これに加えて、クランク軸は軽量化が求められる。【００１０】
クランク軸には、筒内圧（シリンダ内の燃焼圧）の荷重が負荷され、その他に回転遠心力の荷重が負荷される。これらの荷重に対する変形抵抗の付与のために、クランク軸のねじり剛性と曲げ剛性の向上が図られる。クランク軸の設計においては、ジャーナル部の直径、ピン部の直径、ピストンストローク等といった主要諸元が決定される。主要諸元が決定された後、アーム部の形状設計が残された設計領域となる。このため、アーム部の形状設計により、ねじり剛性と曲げ剛性を共に向上させることが、先ずは重要な要件となる。ここでいうアーム部は、上述のとおり、厳密にはジャーナル部とピン部とをつなぐ領域に限定された小判形状の部分であり、カウンターウエイト部の領域の部分は含まない。【００１１】
一方、クランク軸には、静バランスと動バランスの釣り合いがとれた質量配分が必要である。運動力学的に回転体としてスムーズな回転を行えるようにするためである。これらの静バランスと動バランスをとるために、曲げ剛性とねじり剛性の要件から決定されたアーム部側の質量に対し、ウエイト部側の質量を、軽量化を踏まえて調整することが重要な要件となる。【００１２】
静バランスは、アーム部及びウエイト部の各部分の質量モーメント（質量×重心半径）について、これらの全ての和が零になるように調整される。また、動バランスは、クランク軸の回転軸のある１点を基準とし、その基準点から各部分の重心までの軸方向の距離を各部分の質量モーメントに乗じ（質量×重心半径×軸方向距離）、これらの全ての和が零になるように調整される。【００１３】
更に、１スロー内（１気筒に対応するクランク軸の領域）で燃焼圧荷重に対するバランスをとるためにバランス率が調整される。バランス率は、クランク軸のピン部を含む（厳密にはコンロッドの一部も含む）アーム部側の質量モーメントに対するウエイト部側の質量モーメントの割合である。このバランス率がある一定範囲内になるように調整される。【００１４】
クランク軸のアーム部の剛性を高めることと軽量化を図ることは、トレードオフの関係にあるが、両者の要請を同時に達成するために、従来からアーム部形状に関する技術が様々提案されている。従来技術としては下記のものがある。【００１５】
特許第４９９８２３３号公報（特許文献１）は、アーム部のピン部側の表面及びジャーナル部側の表面において、ジャーナル部の軸心とピン部の軸心とを結ぶ直線（以下、「アーム部中心線」ともいう）上に、集中して大きく窪む凹溝を設けたアーム部を開示する。特許文献１に開示されたアーム部は、軽量化と剛性の向上を狙うものである。ジャーナル部側表面の凹溝は質量の減少による軽量化に寄与し、しかも、この凹溝の周囲の厚肉部がねじり剛性の向上に寄与する。しかし、アーム部中心線上に集中して大きく窪む凹溝が存在することに起因し、実際のところでは、曲げ剛性の向上はあまり期待できない。【００１６】
特表２００４−５３８４２９号公報（特許文献２）、特表２００４−５３８４３０号公報（特許文献３）、特開２０１２−７７２６号公報（特許文献４）、及び特開２０１０−２３００２７号公報（特許文献５）は、アーム部のジャーナル部側の表面において、アーム部中心線上に、大きく深く窪む穴部を設けたアーム部を開示する。特許文献２〜５に開示されたアーム部でも、軽量化とねじり剛性の向上が図られる。しかし、アーム部中心線上に大きく深く窪む穴部が存在することに起因し、実際のところでは曲げ剛性は低下する。
【先行技術文献】
【特許文献】
【００１７】
【特許文献１】特許第４９９８２３３号公報
【特許文献２】特表２００４−５３８４２９号公報
【特許文献３】特表２００４−５３８４３０号公報
【特許文献４】特開２０１２−７７２６号公報
【特許文献５】特開２０１０−２３００２７号公報
【発明の概要】
【発明が解決しようとする課題】
【００１８】
確かに、前記特許文献１〜５に開示された技術によれば、クランク軸の軽量化とねじり剛性の向上を図ることができる。しかし、クランク軸の曲げ剛性の向上については、それらの従来技術では限界があり、その技術革新が強く望まれている。【００１９】
本発明は、このような実情に鑑みてなされたものであり、クランク軸の軽量化とねじり剛性の向上を図ると同時に、曲げ剛性の向上を図ることができるレシプロエンジンのクランク軸を提供することを目的とする。
【課題を解決するための手段】
【００２０】
本発明の一実施形態であるレシプロエンジンのクランク軸は、
回転中心軸となるジャーナル部と、このジャーナル部に対して偏心したピン部と、前記ジャーナル部と前記ピン部をつなぐクランクアーム部と、前記クランクアーム部と一体のカウンターウエイト部と、を備える。前記クランク軸は、レシプロエンジンに搭載されて、前記ピン部にはコネクティングロッドを介してピストンピンの軸心から前記ピン部の軸心に向かう方向に燃焼圧による荷重が負荷される。
前記クランクアーム部は、前記ジャーナル部側の表面に、この表面の輪郭に沿った縁部の内側にこの縁部に沿って凹部を備える。前記凹部は、前記ピン部の軸心と前記ジャーナル部の軸心とを結ぶアーム部中心線に対して非対称である。
前記クランクアーム部の曲げ剛性が、前記ピン部への前記燃焼圧による前記荷重の負荷が最大になる時点において最大となる。【００２１】
上記のクランク軸は、前記クランクアーム部の前記縁部の厚みが前記アーム部中心線に対して非対称である構成とすることができる。【００２２】
上記のクランク軸において、下記の構成とすることが好ましい。
前記アーム部中心線を境界にして前記クランクアーム部を左右のアーム部要素に区分したとき、
前記クランクアーム部の前記アーム部中心線に垂直な各断面のうち、前記ピン部の軸心より外側の各断面では、前記最大の前記荷重が負荷される側の前記アーム部要素の断面２次モーメントが、前記最大の前記荷重が負荷される側とは反対側の前記アーム部要素の断面２次モーメントよりも大きく、
前記クランクアーム部の前記アーム部中心線に垂直な各断面のうち、前記ピン部の軸心より内側の各断面では、前記最大の前記荷重が負荷される側とは反対側の前記アーム部要素の断面２次モーメントが、前記最大の前記荷重が負荷される側の前記アーム部要素の断面２次モーメントよりも大きい。【００２３】
このクランク軸の場合、
前記ピン部の軸心より外側の前記各断面では、前記最大の前記荷重が負荷される側の前記アーム部要素の最大厚みが、前記最大の前記荷重が負荷される側とは反対側の前記アーム部要素の最大厚みよりも大きく、
前記ピン部の軸心より内側の前記各断面では、前記最大の前記荷重が負荷される側とは反対側の前記アーム部要素の最大厚みが、前記最大の前記荷重が負荷される側の前記アーム部要素の最大厚みよりも大きい構成とすることができる。【００２４】
また、上記のクランク軸の場合、
前記ピン部の軸心より外側の前記各断面では、前記最大の前記荷重が負荷される側の前記アーム部要素の幅が、前記最大の前記荷重が負荷される側とは反対側の前記アーム部要素の幅よりも大きく、
前記ピン部の軸心より内側の前記各断面では、前記最大の前記荷重が負荷される側とは反対側の前記アーム部要素の幅が、前記最大の前記荷重が負荷される側の前記アーム部要素の幅よりも大きい構成とすることもできる。
【発明の効果】
【００２５】
本発明のクランク軸によれば、実態を反映した条件下で、アーム部のジャーナル部側の表面に、アーム部中心線に対して非対称の凹部が形成される。これにより、アーム部の縁部が厚肉化され、その縁部の内側が凹部によって薄肉化される。更にその凹部の内側の中央部が厚肉化されるので、アーム部の曲げ剛性が向上し、これと同時にアーム部の軽量化とねじり剛性が向上する。
【図面の簡単な説明】
【００２６】
【図１】図１は、一般的なクランク軸の一例を模式的に示す側面図である。
【図２】図２は、アーム部の曲げ剛性の評価法を説明するための模式図である。
【図３】図３は、アーム部のねじり剛性の評価法を説明するための模式図であり、図３（ａ）は１スローの側面図を、図３（ｂ）はその軸方向視での正面図をそれぞれ示す。
【図４】図４は、材料力学的にねじり剛性の観点からアーム部を単純な円板とみなした場合の典型例を示す図であって、図４（ａ）は矩形断面円板を、図４（ｂ）は凸型断面円板を、図４（ｃ）は凹型断面円板をそれぞれ示す。
【図５】図５は、材料力学的に曲げ剛性の観点からアーム部の断面形状を単純化しアーム部を単純な梁とみなした場合の典型例を示す図であって、図５（ａ）は矩形断面梁を、図５（ｂ）は凸型断面梁を、図５（ｃ）は凹型断面梁をそれぞれ示す。
【図６】図６は、曲げ剛性とねじり剛性に直接関連する断面２次モーメント及び断面極２次モーメントについて、断面形状に応じて大小関係をまとめた図である。
【図７】図７は、４サイクルエンジンにおける筒内圧曲線を示す図である。
【図８】図８は、燃焼圧による負荷が最大になる時点でのクランク軸のアーム部とコンロッドとの幾何学的関係を示す図である。
【図９】図９は、燃焼圧の負荷が最大になる時点でのクランク角θと最大荷重負荷角αとの相関を示す図である。
【図１０】図１０は、燃焼圧の負荷が最大になる時点でのクランク軸のアーム部とコンロッドとの幾何学的関係の別例を示す図である。
【図１１】図１１は、材料力学の梁理論における梁形状の一例を示す図であって、図１１（ａ）は矩形梁を、図１１（ｂ）は軽量化梁をそれぞれ示す。
【図１２】図１２は、図１１（ｂ）に示す軽量化梁の概念を利用した左右非対称のアーム部形状を示す図であって、図１２（ａ）は斜視図を、図１２（ｂ）及び図１２（ｃ）はアーム部中心線に垂直な断面図をそれぞれ示す。
【図１３】図１３は、燃焼圧による荷重が最大となるときにアーム部の曲げ剛性が最大となるようにアーム部形状を設計することを示す図である。
【図１４】図１４は、本実施形態のクランク軸におけるアーム部形状の一例を示す図である。
【図１５】図１５は、本実施形態のクランク軸におけるアーム部形状の別例を示す図である。
【図１６】図１６は、本実施形態のクランク軸におけるアーム部形状の別例を示す図である。
【図１７】図１７は、本実施形態のクランク軸におけるアーム部形状の別例を示す図である。
【図１８】図１８は、従来のクランク軸におけるアーム部形状の一例を示す図である。
【発明を実施するための形態】
【００２７】
以下に、本発明のレシプロエンジンのクランク軸について、その実施形態を詳述する。
【００２８】
１．クランク軸の設計で考えるべき基本技術
１−１．アーム部の曲げ剛性
図２は、アーム部の曲げ剛性の評価法を説明するための模式図である。図２に示すように、クランク軸の各スローについて、シリンダ内での爆発による燃焼圧の荷重Ｆは、コンロッドを経由してピン部Ｐに負荷される。このとき、各スローは両端のジャーナル部Ｊが軸受けによって支持されているので、荷重Ｆはピン部Ｐからアーム部Ａを介してジャーナル軸受けに伝わる。これにより、アーム部Ａは３点曲げの荷重負荷状態となり、アーム部Ａに曲げモーメントＭが作用する。これに伴って、アーム部Ａには、板厚方向の外側（ジャーナル部Ｊ側）で圧縮応力が発生し、板厚方向の内側（ピン部Ｐ側）では引張応力が発生する。
【００２９】
ピン部Ｐ及びジャーナル部Ｊの各直径が設計諸元として決定されている場合、アーム部Ａの曲げ剛性は、各スローのアーム部形状に依存する。ウエイト部Ｗは曲げ剛性にほとんど寄与しない。このとき、ピン部Ｐの軸方向中央における燃焼圧負荷方向の変位ｕは、下記の式（１）で示すように、ピン部Ｐに負荷される燃焼圧の荷重Ｆに比例し、曲げ剛性に反比例する。
ｕ  ∝  Ｆ／（曲げ剛性）  …（１）
【００３０】
１−２．アーム部のねじり剛性
図３は、アーム部のねじり剛性の評価法を説明するための模式図である。図３（ａ）は１スローの側面図を示し、図３（ｂ）はその１スローの軸方向視での正面図を示す。クランク軸はジャーナル部Ｊを中心に回転運動をしているので、図３に示すように、ねじりトルクＴが発生する。そこで、アーム部Ａのねじり剛性を高めることが必要である。クランク軸のねじり振動に対し、共振を起こすことなくスムーズな回転を確保するためである。
【００３１】
ピン部Ｐ及びジャーナル部Ｊの各直径が設計諸元として決定されている場合、アーム部Ａのねじり剛性は、各スローのアーム部形状に依存する。ウエイト部Ｗはねじり剛性にほとんど寄与しない。このとき、ジャーナル部Ｊのねじれ角γは、下記の式（２）で示すように、ねじりトルクＴに比例し、ねじり剛性に反比例する。
γ  ∝  Ｔ／（ねじり剛性）  …（２）
【００３２】
２．本実施形態のクランク軸
２−１．アーム部剛性向上のための考え方
上述のとおり、ウエイト部は曲げ剛性とねじり剛性にほとんど寄与しない。そこで、本実施形態では、軽量で曲げ剛性とねじり剛性が同時に向上するアーム部形状を提示する。
【００３３】
２−１−１．ねじり剛性を向上させる基本形状
ここでは、材料力学の理論に基づいて、ねじり剛性を向上させるための典型的な形状を検討する。前記図３に示すアーム部Ａについて、重量を維持しつつねじり剛性を向上させるには、極２次モーメントを大きくすることが有効である。
【００３４】
図４は、材料力学的にねじり剛性の観点からアーム部を単純な円板とみなした場合の典型例を示す図である。図４（ａ）は矩形断面円板を示し、図４（ｂ）は凸型断面円板を示し、図４（ｃ）は凹型断面円板を示す。いずれの図でも、上段が斜視図を示し、下段が断面図を示す。図４（ａ）に示す矩形断面円板、図４（ｂ）に示す凸型断面円板、及び図４（ｃ）に示す凹型断面円板の各重量は、同一としている。すなわち、これらの円板は、断面形状が矩形、凸型及び凹型と互いに異なっているが、それらの体積は同一である。
【００３５】
具体的には、図４（ａ）に示す矩形断面円板の断面形状は、矩形であり、厚みがＨ０で直径がＢ０である。図４（ｂ）に示す凸型断面円板の断面形状は、中央部が外周部よりも突出した凸型であり、最外周の直径がＢ０である。その中央部は、突出した分の厚みがＨ２で直径がＢ２であり、その外周部は厚みがＨ１である。一方、図４（ｃ）に示す凹型断面円板の断面形状は、中央部が外周部よりも窪んだ凹型であり、最外周の直径がＢ０である。その中央部は、厚みがＨ１で窪みの深さがＨ３であり、窪みの直径がＢ３である。
【００３６】
これらの円板のねじり剛性の大小関係について、重量を同一とした条件下で調べる。一般に、材料力学の理論によれば、ねじり剛性と極２次モーメントとねじれ角との間には、下記の式（３）〜式（５）で表される関係がある。これらの式の関係より、極２次モーメントを大きくすることが、ねじり剛性の向上に有効である。
【００３７】
ねじり剛性：Ｇ×Ｊ／Ｌ  …（３）
極２次モーメント：Ｊ＝（π／３２）×ｄ４  …（４）
ねじれ角：γ＝Ｔ×Ｌ／（Ｇ×Ｊ）  …（５）
式（３）〜式（５）中、Ｌは軸方向長さ、Ｇは横弾性率、ｄは丸棒の半径、Ｔはねじりトルクである。
【００３８】
図４に示す３種の円板において、重量が同一という条件は、体積が同一であるという条件を意味する。このため、それらの３種の円板の各寸法パラメータに関して下記の式（６）の関係がある。
（π／４）×Ｂ０×Ｂ０×Ｈ０＝（π／４）×（Ｂ０×Ｂ０×Ｈ１＋Ｂ２×Ｂ２×Ｈ２）＝（π／４）×｛Ｂ０×Ｂ０×（Ｈ１＋Ｈ３）−Ｂ３×Ｂ３×Ｈ３）｝  …（６）
【００３９】
そして、３種の円板それぞれの極２次モーメントは、厚みを考慮して、下記の式（７）〜式（９）で表される。
矩形断面円板の極２次モーメント：
Ｊ（Ａ）＝（π／３２）×Ｈ１×Ｂ０４  …（７）
【００４０】
凸型断面円板の極２次モーメント：
Ｊ（Ｂ）＝（π／３２）×（Ｈ１×Ｂ０４＋Ｈ２×Ｂ２４）  …（８）
【００４１】
凹型断面円板の極２次モーメント：
Ｊ（Ｃ）＝（π／３２）×｛（Ｈ１＋Ｈ３）×Ｂ０４−Ｈ３×Ｂ３４｝  …（９）
【００４２】
これらの式（７）〜式（９）から、矩形断面円板の極２次モーメントＪ（Ａ）、凸型断面円板の極２次モーメントＪ（Ｂ）及び凹型断面円板の極２次モーメントＪ（Ｃ）の大小関係は、下記の式（１０）で示すとおりになる。
Ｊ（Ｂ）  ＜  Ｊ（Ａ）  ＜  Ｊ（Ｃ）  …（１０）
【００４３】
この式（１０）が材料力学から理論的に導かれる結論である。この結論は、定性的に言えば、ねじりの中心からの距離が遠いところに多くの部材が配置される断面形状の方が、極２次モーメントが高くなる、という材料力学的な考察から理解できる。
【００４４】
例えば、同一重量である条件、すなわち上記式（６）を満たす条件の実例として、各寸法パラメータを下記のとおりに設定した場合のことを考える。
Ｂ０＝１００ｍｍ、Ｈ０＝２０ｍｍ、Ｈ１＝１０ｍｍ、Ｈ２＝Ｈ３＝２０ｍｍ、Ｂ２＝Ｂ３＝１００／√２＝７０．７１ｍｍ。
【００４５】
この実例の場合、矩形断面円板の極２次モーメントＪ（Ａ）は、上記式（７）より、下記の式（１１）で示すとおりに求まる。
Ｊ（Ａ）＝１．９６×１０８  …（１１）
【００４６】
凸型断面円板の極２次モーメントＪ（Ｂ）は、上記式（８）より、下記の式（１２）で示すとおりに求まる。
Ｊ（Ｂ）＝１．４７×１０８  …（１２）
【００４７】
凹型断面円板の極２次モーメントＪ（Ｃ）は、上記式（９）より、下記の式（１３）で示すとおりに求まる。
Ｊ（Ｃ）＝２．４５×１０８  …（１３）
【００４８】
これらの式（１１）〜式（１３）より、上記式（１０）の関係が成り立つことが数値的に確認できる。
【００４９】
したがって、ねじり荷重に対しては、凸型断面円板、矩形断面円板、及び凹型断面円板の順序で、ねじり剛性が高くなり、凹型断面円板が最も好ましい形状であると言える。
【００５０】
２−１−２．曲げ剛性を向上させる基本形状
ここでは、材料力学の理論に基づいて、曲げ剛性を向上させるための典型的な形状を検討する。前記図２に示すアーム部Ａについて、重量を維持しつつ曲げ剛性を向上させるには、曲げに対する断面２次モーメントを大きくすることが効率的である。
【００５１】
図５は、材料力学的に曲げ剛性の観点からアーム部の断面形状を単純化しアーム部を単純な梁とみなした場合の典型例を示す図である。図５（ａ）は矩形断面梁を示し、図５（ｂ）は凸型断面梁を示し、図５（ｃ）は凹型断面梁を示す。いずれの図でも、上段が斜視図を示し、下段が断面図を示す。図５（ａ）に示す矩形断面梁、図５（ｂ）に示す凸型断面梁、及び図５（ｃ）に示す凹型断面梁の各重量は、同一としている。すなわち、これらの梁は、断面形状が矩形、凸型及び凹型と互いに異なっているが、それらの断面の面積は同一である。
【００５２】
具体的には、図５（ａ）に示す矩形断面梁の断面形状は、矩形であり、厚みがＨ０で幅がＢ３である。図５（ｂ）に示す凸型断面梁の断面形状は、中央部が両側部よりも突出した凸型であり、全幅がＢ３である。その中央部は、厚みがＨ２で幅がＢ２であり、その両側部はそれぞれ厚みがＨ１で幅がＢ１／２である。一方、図５（ｃ）に示す凹型断面梁の断面形状は、中央部が両側部よりも窪んだ凹型であり、全幅がＢ３である。その中央部は、厚みがＨ１で幅がＢ１であり、その両側部はそれぞれ厚みがＨ２で幅がＢ２／２である。
【００５３】
これらの梁の曲げ荷重に対する剛性の大小関係について、重量を同一とした条件下で調べる。一般に、材料力学の理論から、矩形梁の曲げ剛性と断面２次モーメントの関係は下記の式（１４）〜式（１６）で表される。式（１４）〜式（１６）の関係より、断面２次モーメントを大きくすることが、曲げ剛性を高めることになる。
【００５４】
曲げ剛性：Ｅ×Ｉ  …（１４）
断面２次モーメント：Ｉ＝（１／１２）×ｂ×ｈ３  …（１５）
たわみ変位：ｕ＝ｋ（Ｍ／（Ｅ×Ｉ））  …（１６）
式（１４）〜式（１６）中、ｂは幅、ｈは厚み、Ｅは縦弾性率、Ｍは曲げモーメント、ｋは形状係数である。
【００５５】
図５に示す３種の梁において、重量が同一という条件は、体積が互いに同一、すなわち断面の面積が互いに同一であるという条件を意味する。このため、それらの３種の梁の各寸法パラメータに関して下記の式（１７）の関係がある。
Ｂ３×Ｈ０＝（Ｈ２×Ｂ２＋Ｂ１×Ｈ１）＝（Ｈ２×Ｂ２＋Ｂ１×Ｈ１）  …（１７）
【００５６】
そして、３種の梁それぞれの断面２次モーメントは、下記の式（１８）〜式（２０）で表される。
矩形断面梁の断面２次モーメント：
Ｉ（Ｄ）＝（１／１２）×Ｂ３×Ｈ０３  …（１８）
【００５７】
凸型断面梁の断面２次モーメント：
Ｉ（Ｅ）＝１／３×（Ｂ３×Ｅ２３−Ｂ１×Ｈ３３  ＋Ｂ２×Ｅ１３）  …（１９）
式（１９）中、
Ｅ２は「（Ｂ２×Ｈ２２＋Ｂ１×Ｈ１２）／｛２×（Ｂ２×Ｈ２＋Ｂ１×Ｈ１）｝」、
Ｅ１は「Ｈ２−Ｅ２」、
Ｈ３は「Ｅ２−Ｈ１」である。
【００５８】
凹型断面梁の断面２次モーメント：
Ｉ（Ｆ）＝１／３×（Ｂ３×Ｅ２３−Ｂ１×Ｈ３３  ＋Ｂ２×Ｅ１３）  …（２０）
式（２０）中、
Ｅ２は「（Ｂ２×Ｈ２２＋Ｂ１×Ｈ１２）／｛２×（Ｂ２×Ｈ２＋Ｂ１×Ｈ１）｝」、
Ｅ１は「Ｈ２−Ｅ２」、
Ｈ３は「Ｅ２−Ｈ１」である。
【００５９】
上記式（１９）と上記式（２０）は形が同じである。これは、重量が同一という条件下では、凸型断面梁の断面２次モーメントＩ（Ｅ）と凹型断面梁の断面２次モーメントＩ（Ｆ）が同じになることを示している。
【００６０】
要するに、矩形断面梁の断面２次モーメントＩ（Ｄ）、凸型断面梁の断面２次モーメントＩ（Ｅ）及び凹型断面梁の断面２次モーメントＩ（Ｆ）の大小関係は、下記の式（２１）で示すとおりになる。
Ｉ（Ｄ）  ＜  Ｉ（Ｅ）  ＝  Ｉ（Ｆ）  …（２１）
【００６１】
この式（２１）が材料力学から理論的に導かれる結論である。この結論は、定性的に言えば、曲げの中立面からの距離が遠いところに、多くの部材が配置される断面形状の方が、断面２次モーメントが高くなるという材料力学的な考察から理解できる。
【００６２】
例えば、同一重量である条件、すなわち上記式（１７）を満たす条件の実例として、各寸法パラメータを下記のとおりに設定した場合のことを考える。
Ｂ１＝Ｂ２＝５０ｍｍ、Ｂ３＝１００ｍｍ、Ｈ０＝２０ｍｍ、Ｈ１＝１０ｍｍ、Ｈ２＝３０ｍｍ。このとき、Ｅ１＝１２．５ｍｍ、Ｅ２＝１７．５ｍｍ、Ｈ３＝７．５ｍｍとなる。
【００６３】
この実例の場合、矩形断面梁の断面２次モーメントＩ（Ｄ）は、上記式（１８）より、下記の式（２２）で示すとおりに求まる。
Ｉ（Ｄ）＝６．６７×１０４  …（２２）
【００６４】
凸型断面梁の断面２次モーメントＩ（Ｅ）は、上記式（１９）より、下記の式（２３）で示すとおりに求まる。
Ｉ（Ｅ）＝２．０４×１０５  …（２３）
【００６５】
凹型断面梁の断面２次モーメントＩ（Ｆ）は、上記式（２０）より、下記の式（２４）で示すとおりに求まる。
Ｉ（Ｆ）＝２．０４×１０５  …（２４）
【００６６】
これらの式（２２）〜式（２４）より、上記式（２１）の関係が成り立つことが数値的に確認できる。
【００６７】
したがって、曲げ荷重に対しては、凸型断面梁と凹型断面梁は同等の曲げ剛性を有し、矩形断面梁よりも、アーム部の一部を厚肉化したような凸型断面梁又は凹型断面梁の方が、曲げ剛性が高く好ましい形状であると言える。
【００６８】
２−１−３．曲げ剛性とねじり剛性を向上させる基本形状のまとめ
図６は、曲げ剛性とねじり剛性に直接関連する断面２次モーメント及び極２次モーメントについて、断面形状に応じて大小関係をまとめた図である。図６では、前記図４及び図５に示す矩形断面、凸型断面及び凹型断面の断面形状ごとに、極２次モーメント及び断面２次モーメントを、矩形断面を基準「１」とした比率で表示している。
【００６９】
図６に示すように、断面形状が凸型又は凹型であれば曲げ剛性が高まり、一方、断面形状が凹型であればねじり剛性が高まる。これらの断面形状を組み合わせることにより、曲げ剛性とねじり剛性が共に向上する。このことから、曲げ剛性とねじり剛性を共に向上させるには、アーム部の断面形状を凸型と凹型を組み合わせた形状に設計することが有効である。すなわち、アーム部の輪郭に沿った縁部を厚肉化し、この縁部の内側を薄肉化する。更にその薄肉化された部分の内側である中央部（アーム部中心線上でジャーナル部寄りの部分）を厚肉化する。アーム部のねじり中心から遠い縁部を厚肉化すると同時に、その内側を薄肉化することにより、軽量化を実現しつつ、ねじり剛性を高く確保できる。アーム部の縁部の厚肉化は、曲げ剛性の確保に寄与する。加えて、曲げ剛性の確保には、アーム部の中央部の厚肉化が寄与する。
【００７０】
２−２．実態を踏まえたアーム部剛性向上のための考え方
図７は、４サイクルエンジンにおける筒内圧曲線を示す図である。図７に示すように、クランク軸のピン部が圧縮工程の上死点にあたる位置（クランク角θが０°）を基準にすると、圧縮工程上死点の直後に爆発が生じる。そのため、筒内圧（シリンダ内の圧力）は、クランク角θが約８〜２０°になった時点で最大の燃焼圧となる。クランク軸には、図７に示す筒内圧（燃焼圧）の荷重が負荷され、その他に回転遠心力の荷重が負荷される。その際、クランク軸のピン部には、クランク角θが約８〜２０°の時点で、最大の燃焼圧がコンロッドを介して負荷される。クランク軸の設計において、その最大燃焼圧による荷重に対する変形抵抗を得るために、曲げ剛性、更にはねじり剛性を向上させ、これと同時に重量を軽減することが、目標とされる。
【００７１】
図８は、燃焼圧による負荷が最大になる時点でのクランク軸のアーム部とコンロッドとの幾何学的関係を示す図である。図８に示すように、ピン部Ｐへの燃焼圧の負荷方向は、ピストンピンの軸心（コンロッド４の小端部４Ｓの軸心４Ｓｃ）からピン部Ｐの軸心Ｐｃに向かう方向である。このため、アーム部Ａには、最大燃焼圧による最大荷重Ｆｍａｘが、ピン部Ｐの軸心Ｐｃとジャーナル部Ｊの軸心Ｊｃとを結ぶアーム部中心線Ａｃに沿う方向ではなく、そのアーム部中心線Ａｃに対して傾斜した方向に負荷される。すなわち、最大荷重Ｆｍａｘは、実態を反映してクランク角θが約８〜２０°の状態のアーム部Ａに負荷される。すなわち最大荷重Ｆｍａｘは、アーム部中心線Ａｃに対して角度αで傾斜した方向に負荷される。
【００７２】
以下では、アーム部中心線Ａｃに対し、燃焼圧によるアーム部Ａへの荷重の負荷方向（ピストンピンの軸心からピン部の軸心に向かう方向）の交差角を荷重負荷角βとも称する。荷重負荷角βの中でも、クランク角θが約８〜２０°であって、最大燃焼圧による最大荷重Ｆｍａｘが負荷される時点のものは、最大荷重負荷角αとも称する。
【００７３】
図９は、燃焼圧の負荷が最大になる時点でのクランク角θと最大荷重負荷角αとの相関を示す図である。曲げ荷重に関して、気筒内の燃焼圧が最大値を示すのは、前記図７に示すように、クランク軸が圧縮工程上死点から僅かに回転し、クランク角θが約８〜２０°の時点である。
【００７４】
図８に示すように、アーム部Ａは、アーム部中心線Ａｃに対して最大荷重負荷角αで傾斜した方向に、最大燃焼圧による最大荷重Ｆｍａｘを受ける。その最大荷重負荷角αは、最大燃焼圧が負荷される時点でのクランク角「θ」、ピストンストロークＬｓの半分（ピン部Ｐの軸心Ｐｃとジャーナル部Ｊの軸心Ｊｃとの距離）「Ｌｓ／２」、及びコンロッド４の小端部４Ｓの軸心４Ｓｃ（ピストンピンの軸心）とピン部Ｐの軸心Ｐｃとの距離「Ｌｃ」の一角二辺から定まる三角形の外角で求められる。すなわち、アーム部Ａは、アーム部中心線Ａｃに対し、クランク角θ（約８〜２０°）よりも若干大きい最大荷重負荷角α（約１０〜２０数°）で傾斜した曲げ荷重を受ける（図９参照）。
【００７５】
図１０は、燃焼圧の負荷が最大になる時点でのクランク軸のアーム部とコンロッドとの幾何学的関係の別例を示す図である。図１０に示すエンジンは、ジャーナル部Ｊの軸心Ｊｃの位置（クランク回転軸）がシリンダ中心軸から少し離れた位置にオフセットして配置される。又は、ジャーナル部Ｊの軸心Ｊｃの位置がシリンダ中心軸上に配置されているものの、ピストンピンの軸心の位置がシリンダ中心軸から少し離れた位置にオフセットして配置される。この場合、最大荷重負荷角αは、前記図８で説明したものと同様の三角形とオフセット量Ｌｏを幾何学的に考慮して求められる。
【００７６】
２−２−１．本実施形態のクランク軸の概要
上述のとおり、アーム部には、アーム部中心線に対して最大荷重負荷角αで傾斜した方向に、最大の曲げ荷重が負荷される。この点に着目し、軽量で剛性の高い梁の形状から、アーム部形状を左右非対称とすることが効果的であることを以下に示す。
【００７７】
図１１は、材料力学の梁理論における梁形状の一例を示す図である。図１１（ａ）は矩形梁を示し、図１１（ｂ）は軽量化梁を示す。アーム部を材料力学的に梁理論で単純化して考える。曲げ荷重を受ける梁について、剛性が高く、変形が小さくて、最も軽量な２次元の梁形状（板厚ｔが一定）は、図１１（ａ）に示すような、板幅Ｂが一定の矩形梁ではなく、図１１（ｂ）に示すような、板幅Ｂが荷重点から固定端に向かって単調に増大する軽量化梁である。
【００７８】
図１２は、図１１（ｂ）に示す軽量化梁の概念を利用した左右非対称のアーム部形状を示す図である。図１２（ａ）は斜視図を示し、図１２（ｂ）及び（ｃ）はアーム部中心線に垂直な断面図を示す。図１２に示すアーム部形状の概念は、更に、上記式（２１）に表される曲げ剛性が高くなる結果から、図５（ｂ）の凸型形状を反映したものである。ここで、図１２（ｂ）は、ピン部の軸心より外側の断面、すなわちピン部の軸心からジャーナル部とは反対側寄りの断面を示す。図１２（ｃ）は、ピン部の軸心より内側の断面、すなわちピン部の軸心からジャーナル部寄りの断面を示す。前記図８及び図１０に示すような、アーム部中心線Ａｃに対して最大荷重負荷角αで傾斜した方向に最大の曲げ荷重が負荷されるアーム部Ａは、図１２（ａ）に示すように、板厚ｔの梁が複数積み重ねられて合成されたものとみなされる。その複数の梁の断面形状を、図１１（ｂ）に示すような、固定端に向かって、板幅Ｂが単調増加する軽量化梁とすれば、最も軽量で剛性の高いアーム部Ａが得られる。
【００７９】
そのアーム部Ａを、図１２（ａ）に示すように、アーム部中心線Ａｃに垂直な平面で切断すれば、幾何学的な関係から、その断面は図１２（ｂ）及び図１２（ｃ）に示すようにアーム部中心線Ａｃを境界にして左右非対称な形状になる。すなわち、アーム部Ａは、アーム部中心線Ａｃを境界にして左右のアーム部要素Ａｒ、Ａｆに区分され、右側のアーム部要素Ａｒと左側のアーム部要素Ａｆがアーム部中心線Ａｃに対して非対称である。
【００８０】
このように最大荷重負荷角αでアーム部Ａに負荷される最大曲げ荷重に対し、アーム部Ａは、左右非対称な形状とされることにより、軽量で効率的に剛性が高くなる。アーム部Ａの非対称形状は数多く考えられる。例えば、図１３に示すように、荷重負荷角βをパラメータとして変化させ、その荷重負荷角βが最大荷重負荷角αの時点（すなわち燃焼圧による荷重の負荷が最大になる時点）において、曲げ剛性が最大になるようにアーム部Ａを左右非対称な形状に設計すれば、贅肉の無い最も効率的な軽量化を達成できる。これにより、アーム部Ａは、最軽量で高剛性となり、クランク軸の性能を最大限に発揮できる。
【００８１】
また、このとき、図１２（ｂ）に示すように、ピン部の軸心より外側の断面では、最大の荷重が負荷される側となる左側のアーム部要素Ａｆの断面２次モーメントが、最大の荷重が負荷される側とは反対側となる右側のアーム部要素Ａｒの断面２次モーメントよりも大きいことが好ましい。これと同時に、図１２（ｃ）に示すように、ピン部の軸心より内側の断面では、最大の荷重が負荷される側とは反対側となる右側のアーム部要素Ａｒの断面２次モーメントが、最大の荷重が負荷される側となる左側のアーム部要素Ａｆの断面２次モーメントよりも大きいことが好ましい。
【００８２】
以上のことを踏まえ、本実施形態によるクランク軸は、アーム部Ａのジャーナル部Ｊ側の表面において、この表面の輪郭に沿った縁部の内側にこの縁部に沿って凹部が形成されたものである。これは、上記式（１０）に表わされる結果に従い、ねじり剛性を高めるように凹型形状を反映したものである。更に、荷重負荷の実態を反映した条件で、その凹部がアーム部中心線Ａｃに対して非対称である。これによりアーム部Ａの形状がアーム部中心線Ａｃに対して左右非対称な形状になる。すなわち、アーム部Ａの形状は、ピン部Ｐへの燃焼圧による荷重の負荷が最大になる時点において曲げ剛性が最大となる形状とされる。これらにより、アーム部は、凹部の外側の縁部が厚肉化され、その縁部の内側が凹部によって薄肉化される。更にその薄肉化された部分の内側が厚肉化される。そのため、曲げ剛性が向上し、これと同時に軽量化とねじり剛性の向上を図ることができる。
【００８３】
２−２−２．アーム部の形状例
図１４は、本実施形態のクランク軸におけるアーム部形状の一例を示す図である。図１５は、その別例を示す図である。図１６及び図１７は、更にその別例を示す図である。図１７は、従来のクランク軸におけるアーム部形状の一例を示す図である。いずれの図でも、（ａ）は１スローの斜視図を示し、（ｂ）は（ａ）におけるアーム部中心線に垂直なＣ−Ｃ’位置での断面図を示す。更に、（ｃ）は（ａ）におけるアーム部中心線に垂直でＣ−Ｃ’位置とは異なるＤ−Ｄ’位置での断面図を示す。ここで、各図（ｂ）に示すＣ−Ｃ’位置は、ピン部の軸心より外側の位置である。また、各図（ｃ）に示すＤ−Ｄ’位置は、ピン部の軸心より内側の位置である。
【００８４】
図１４、図１５、図１６及び図１７に示すアーム部Ａは、ジャーナル部Ｊ側の表面に凹部１０が形成されている。具体的には、アーム部Ａは、ジャーナル部Ｊ側の表面の輪郭に沿った縁部１１を有する。凹部１０は、その縁部１１の内側にその縁部１１に沿って形成されている。
【００８５】
特に、アーム部中心線Ａｃを境界とする右側のアーム部要素Ａｒと左側のアーム部要素Ａｆにそれぞれ形成された凹部１０は、互いに形状が異なる。具体的には、ピン部Ｐへの燃焼圧による荷重の負荷が最大になる時点においてアーム部Ａの曲げ剛性が最大となるように、凹部１０がアーム部中心線Ａｃに対して左右非対称にされている。これにより、アーム部Ａは、アーム部中心線Ａｃに対して左右非対称形状になる。更に、各図（ｂ）に示すように、ピン部Ｐの軸心より外側の断面では、最大の荷重が負荷される側となる左側のアーム部要素Ａｆの断面２次モーメントが、その反対側となる右側のアーム部要素Ａｒの断面２次モーメントよりも大きくなっている。これと同時に、各図（ｃ）に示すように、ピン部Ｐの軸心より内側の断面では、最大の荷重が負荷される側とは反対側となる右側のアーム部要素Ａｒの断面２次モーメントが、その反対側となる左側のアーム部要素Ａｆの断面２次モーメントよりも大きくなっている。
【００８６】
図１４に示すアーム部Ａでは、縁部１１の厚みがアーム部中心線Ａｃに対して対称にされる。また、右側のアーム部要素Ａｒでの縁部１１の厚みＢａｒと左側のアーム部要素Ａｆでの縁部１１の厚みＢａｆとが等しい。その代わりに、左側のアーム部要素Ａｆは、ピン部Ｐの軸心より外側の断面では、その中央部における最大厚みＢｂｆが右側のアーム部要素Ａｒの最大厚みＢｂｒよりも大きい（図１４（ｂ）参照）。一方、ピン部Ｐの軸心より内側の断面では、その中央部における最大厚みＢｂｆが右側のアーム部要素Ａｒの最大厚みＢｂｒよりも小さい（図１４（ｃ）参照）。
【００８７】
図１５に示すアーム部Ａでは、縁部１１の厚みがアーム部中心線Ａｃに対して非対称にされる。また、右側のアーム部要素Ａｒでの縁部１１の厚みＢａｒが左側のアーム部要素Ａｆでの縁部１１の厚みＢａｆと異なる。具体的には、左側のアーム部要素Ａｆは、ピン部Ｐの軸心より外側の断面では、その縁部１１の厚みＢａｆが右側のアーム部要素Ａｒの縁部１１の厚みＢａｒよりも大きい（図１５（ｂ）参照）。一方、ピン部Ｐの軸心より内側の断面では、その縁部１１の厚みＢａｆが右側のアーム部要素Ａｒの縁部１１の厚みＢａｒよりも小さい（図１５（ｃ）参照）。また、左側のアーム部要素Ａｆの縁部１１の厚みＢａｆは中央部における最大厚みＢｂｆよりも大きい。この関係は、ピン部Ｐの軸心より外側の断面及びピン部Ｐの軸心より内側の断面のいずれでも成り立つ。右側のアーム部要素Ａｒでも同様に、アーム部Ａｒの縁部１１の厚みＢａｒは中央部における最大厚みＢｂｒよりも大きい。この関係は、ピン部Ｐの軸心より外側の断面及びピン部Ｐの軸心より内側の断面のいずれも成り立つ。
【００８８】
図１６に示すアーム部Ａは、図１５に示すアーム部Ａを変形したものである。相違点は以下のとおりである。図１６に示すアーム部Ａについて、左側のアーム部要素Ａｆは、ピン部Ｐの軸心より外側の断面では、その幅Ｗｆが右側のアーム部要素Ａｒの幅Ｗｒよりも大きく（図１６（ｂ）参照）、ピン部Ｐの軸心より内側の断面では、右側のアーム部要素Ａｒの幅Ｗｒよりも小さい（図１６（ｃ）参照）。
【００８９】
図１７に示すアーム部Ａは、図１６に示すアーム部Ａを変形したものである。相違点は以下のとおりである。図１７に示すアーム部Ａでは、アーム部中心線Ａｃに対し、縁部１１の厚み及び中央部における最大厚みが対称にされている。
【００９０】
一方、図１８に示す従来のアーム部Ａは、凹部が形成されておらず、アーム部中心線Ａｃを境界にして左右対称形状である。
【００９１】
このように図１４〜図１７に示す本実施形態のクランク軸では、図１８に示す従来のクランク軸と比較し、アーム部Ａは、実態を反映した条件で形成される。具体的には、アーム部Ａの縁部１１は、アーム部Ａの全域にわたり厚肉化される。その縁部１１の内側は凹部１０によって薄肉化される。更にその薄肉化された部分の内側の中央部は厚肉化される。その結果、クランク軸は、軽量化とねじり剛性の向上を図ることができ、これと同時に曲げ剛性の向上を図ることができる。
【００９２】
その他本発明は上記の実施形態に限定されず、本発明の趣旨を逸脱しない範囲で、種々の変更が可能である。例えば、本発明のクランク軸は、あらゆるレシプロエンジンに搭載されるクランク軸を対象とする。すなわち、エンジンの気筒数は、４気筒以外にも、１気筒、２気筒、３気筒、６気筒、８気筒及び１０気筒のいずれでもよく、更に多いものであってもよい。エンジン気筒の配列も、直列配置、Ｖ型配置、対向配置等を特に問わない。エンジンの燃料も、ガソリン、ディーゼル、バイオ燃料等の種類を問わない。また、エンジンとしては、内燃機関と電気モータを複合してなるハイブリッドエンジンも含む。
【産業上の利用可能性】
【００９３】
本発明は、あらゆるレシプロエンジンに搭載されるクランク軸に有効に利用できる。
【符号の説明】
【００９４】
１：クランク軸、
Ｊ、Ｊ１〜Ｊ５：ジャーナル部、    Ｊｃ：ジャーナル部の軸心、
Ｐ、Ｐ１〜Ｐ４：ピン部、    Ｐｃ：ピン部の軸心、
Ｆｒ：フロント部、    Ｆｌ：フランジ部、
Ａ、Ａ１〜Ａ８：クランクアーム部、    Ａｃ：アーム部中心線、
Ａｒ：右側のアーム部要素、    Ａｆ：左側のアーム部要素、
Ｗ、Ｗ１〜Ｗ８：カウンターウエイト部、
４：コネクティングロッド、    ４Ｓ：小端部、
４Ｓｃ：小端部の軸心（ピストンピンの軸心）、
１０：凹部、    １１：縁部
【図１】
2016009640.tif 000003
【図２】
2016009640.tif 000004
【図３】
2016009640.tif 000005
【図４】
2016009640.tif 000006
【図５】
2016009640.tif 000007
【図６】
2016009640.tif 000008
【図７】
2016009640.tif 000009
【図８】
2016009640.tif 000010
【図９】
2016009640.tif 000011
【図１０】
2016009640.tif 000012
【図１１】
2016009640.tif 000013
【図１２】
2016009640.tif 000014
【図１３】
2016009640.tif 000015
【図１４】
2016009640.tif 000016
【図１５】
2016009640.tif 000017
【図１６】
2016009640.tif 000018
【図１７】
2016009640.tif 000019
【図１８】
2016009640.tif 000020
【国際調査報告】
2016009640.tif 000021
2016009640.tif 000022
2016009640.tif 000023
2016009640.tif 000024